(57)【要約】【課題】  簡単な反応によって得られ、且つインキ捕集能に優れている脱墨剤を提供すること。【解決手段】  本発明の脱墨剤は、一般式（Ｉ）がＲ1ＣＯＯＲ2で表される（Ａ）高級脂肪酸モノアルキルエステルと、（Ｂ）（Ｂ−１）アルコール又は（Ｂ−２）脂肪酸の中の少なくとも１つとの混合物に、アルカリ触媒の存在下、炭素数２〜４のアルキレンオキサイドを付加して得られる反応生成物からなり、上記一般式（Ｉ）中、Ｒ1は炭素数７〜２１のアルキル基またはアルケニル基、Ｒ2は炭素数１〜６のアルキル基もしくはアルケニル基を表すものである。【選択図】  なし【特許請求の範囲】
【請求項１】
一般式（Ｉ）で表される（Ａ）高級脂肪酸モノアルキルエステルと、（Ｂ）（Ｂ−１）アルコール又は（Ｂ−２）脂肪酸の中の少なくとも１つとの混合物に、アルカリ触媒の存在下、炭素数２〜４のアルキレンオキサイドを付加して得られる反応生成物からなる脱墨剤。
Ｒ1ＣＯＯＲ2・・・（Ｉ）
（式中、Ｒ1は炭素数７〜２１のアルキル基またはアルケニル基、Ｒ2は炭素数１〜６のアルキル基もしくはアルケニル基を表す）
【請求項２】
上記（Ｂ−１）アルコールが炭素数８〜２２の脂肪族アルコールである請求項１記載の脱墨剤。
【請求項３】
上記（Ｂ−２）脂肪酸が炭素数８〜２２の高級脂肪酸である請求項１記載の脱墨剤。
【請求項４】
上記（Ａ）／（Ｂ）のモル比が１／９〜９／１の範囲であり、アルキレンオキサイド付加モル数が（Ａ）と（Ｂ）の合計の１モル当り、５〜１００モルの範囲である請求項１〜請求項３記載の脱墨剤。
【発明の詳細な説明】
【技術分野】
【０００１】
本発明は、新聞、雑誌等の印刷古紙から再生パルプを得る際に用いられる古紙再生用脱墨剤に関するものであり、より詳細には、インキ捕集工程において適度な泡量を保ち、操業性に優れ、高白色度、低残インキの高品質再生パルプを得ることができる脱墨剤に関するものである。
【背景技術】
【０００２】
一般に、新聞、雑誌等の印刷古紙からパルプを再生して、製紙原料として再利用することは古くから行われている。しかし、資源の有効利用と環境保護の立場から印刷古紙の再利用は重要性を増し、再生パルプの用途も拡大している。印刷古紙を再利用する場合、通常パルパー等の離解機を用い苛性ソーダ、炭酸ソーダ、ケイ酸ソーダ等のアルカリ剤、過酸化水素、次亜塩素酸ソーダ等の漂白剤、ＥＤＴＡ、ＤＴＰＡ等のキレート剤とともに、脱墨剤として、アルキルベンゼンスルホン酸塩、α―オレフィンスルホン酸塩、高級アルコール硫酸エステル塩、ジアルキルスルホサクシネートなどの陰イオン界面活性剤、高級アルコール、アルキルフェノール、脂肪酸等のエチレンオキサイド付加物などの非イオン界面活性剤が単独または２種以上組み合わされて使用されてきた。
【０００３】
一方、脱墨処理の点から見ると、脱墨効率向上のため、ニーダー、リファイナー、ディスパーザー等の処理装置の改良により剥離されたインキが微細化される傾向にある。しかし、フローテーション時において前記脱墨剤は剥離されたインキを捕集する能力が不十分であり、高白色度で残インキの少ない高品質再生パルプを得ることはできなかった。さらに、操業中の泡コントロールが難しく、時に操業に支障をきたすものであった。
【０００４】
前記課題に対し、脂肪酸アルキルエステルアルコキシレートの構造をもつ脱墨剤が提案している（例えば、特許文献１を参照。）。かかる構造の脱墨剤は、インキ捕集能を保持し、残インキの少ない高白色度の再生パルプを得ることができるとともに、操業中も適度な泡量を保つものである。
【０００５】
脂肪酸アルキルエステルアルコキシレートを得るには、すなわち、脂肪酸アルキルエステルに金属触媒を用いて、直接アルキレンオキサイドを挿入反応させる方法がある。しかし該方法によると、反応終了後に濾過等で触媒を除去する必要がある。また、低級アルコールにアルキレンオキサイドを付加反応させた後、高級脂肪酸と縮合させて該構造の脱墨剤を得る方法もあるが、この場合は反応が二段階の煩雑なものになる。さらに、高級脂肪酸にアルキレンオキサイド付加した後、末端水酸基をアルキルクロライド等でアルキル化する方法もあるが、かかる方法も煩雑なものである。
【０００６】
上記のごとく煩雑な反応を行わずに脱墨剤を得るには、例えば、天然油脂と多価アルコールの混合物にアルキレンオキサイドを付加して脱墨剤を得るものが提案されている（例えば、特許文献２を参照。）。しかし、このような方法では、確かに簡便な１段反応により脱墨剤を得ることはできるものの、得られた脱墨剤は十分なインキ捕集能を有せず残インキが多くなる。かかる理由は定かではないが、天然油脂に由来する脱墨剤自体の立体障害により、脱墨剤がパルプスラリー中のインキと十分に接触できないためと考えられる。
【特許文献１】特開平６−５７６６７号公報
【特許文献２】特開平１−５７１９４号公報
【発明の開示】
【発明が解決しようとする課題】
【０００７】
本発明の課題は、上記事情に鑑み、簡単な反応によって得られ、且つインキ捕集能に優れている脱墨剤を提供することにある。
【課題を解決するための手段】
【０００８】
本発明者らは、前記課題を解決するために鋭意研究を行った結果、特定の高級脂肪酸モノアルキルエステルと、アルコール又は脂肪酸の少なくとも１とを混合して、アルカリ触媒の存在下で、所定の炭素数のアルキレンオキサイドを付加した反応生成物がインキ捕集能に優れた脱墨剤であることを見出し、本発明に至ったものである。
即ち、本発明の脱墨剤は、以下の（１）〜（４）の構成或いは構造からなることを特徴とするものである。
【０００９】
（１）．一般式（Ｉ）がＲ1ＣＯＯＲ2で表される（Ａ）高級脂肪酸モノアルキルエステルと、（Ｂ）（Ｂ−１）アルコール又は（Ｂ−２）脂肪酸の中の少なくとも１つとの混合物に、アルカリ触媒の存在下、炭素数２〜４のアルキレンオキサイドを付加して得られる反応生成物からなる脱墨剤。
一般式（Ｉ）中、Ｒ1は炭素数７〜２１のアルキル基またはアルケニル基、Ｒ2は炭素数１〜６のアルキル基もしくはアルケニル基を表すものである。
【００１０】
（２）．上記（Ｂ−１）アルコールが炭素数８〜２２の脂肪族アルコールである上記（１）記載の脱墨剤。
（３）．上記（Ｂ−２）脂肪酸が炭素数８〜２２の高級脂肪酸である上記（１）記載の脱墨剤。
（４）．上記（Ａ）／（Ｂ）のモル比が１／９〜９／１の範囲であり、アルキレンオキサイド付加モル数が（Ａ）と（Ｂ）の合計の１モル当り、５〜１００モルの範囲である上記（１）〜（２）記載の脱墨剤。
【発明の効果】
【００１１】
本発明の脱墨剤は、上記の（Ａ）高級脂肪酸モノアルキルエステルと、（Ｂ）（Ｂ−１）アルコール、及び／又は（Ｂ−２）脂肪酸との混合物に、アルカリ触媒の存在下で炭素数２〜４のアルキレンオキサイドを付加して得られる反応生成物であることから、煩雑な反応工程を必要としない１段反応で得られる脱墨剤であり、かかる脱墨剤は、再生パルプの脱墨工程中の泡量を適度に保ち操業性に優れ、インキ捕集能が高く、低残インキ、高白色度の再生パルプを得ることができる。
【発明を実施するための最良の形態】
【００１２】
以下、本発明に係る脱墨剤の最良の形態を詳説する。尚、本発明の脱墨剤は以下の形態に限るものではない。
本発明の脱墨剤は、一般式（Ｉ）がＲ1ＣＯＯＲ2で表される（Ａ）高級脂肪酸モノアルキルエステルと、（Ｂ）（Ｂ−１）アルコール又は（Ｂ−２）脂肪酸の中の少なくとも１つとの混合物に、アルカリ触媒の存在下、炭素数２〜４のアルキレンオキサイドを付加して得られる反応生成物からなる。ここで、一般式（Ｉ）中、Ｒ1は炭素数７〜２１のアルキル基またはアルケニル基、Ｒ2は炭素数１〜６のアルキル基もしくはアルケニル基を表すものである。
【００１３】
本発明の脱墨剤は、アルキレンオキサイドの付加反応によって得られるものであるが、それに際してはアルカリ触媒を用いる。アルカリ触媒としては、例えば、アルカリ金属の水酸化物、アルカリ金属のアルコラートなどの強アルカリ、アルキルアミン等が挙げられる。特に、水酸化ナトリウム、水酸化カリウム等のアルカリ金属の水酸化物、及びソジウムメチラート等のアルカリ金属のアルコラートが好ましい。
【００１４】
上記（Ａ）高級脂肪酸モノアルキルエステルは一般式（Ｉ）で表され、その式中、Ｒ1は炭素数が７〜２１の範囲にあるアルキル基またはアルケニル基であり、より好ましくは、炭素数が１１〜２１の範囲にあるものである。Ｒ2は炭素数が１〜６の範囲にあるアルキル基もしくはアルケニル基である。
Ｒ1におけるアルキル基またはアルケニル基の炭素数が６以下になると、得られる反応生成物（脱墨剤）は、再生パルプからのインキ捕集能が低下し、また炭素数が２２を超えると、再生パルプの脱墨工程中の適度な泡量が得られ難くなる。（Ａ）の高級脂肪酸モノアルキルエステルは、高級脂肪酸と1価アルコールのエステル体の化学構造を有するが、これらのエステル化反応、又は、該高級脂肪酸を含有する天然油脂と1価アルコールとのエステル交換反応等により得ることができる。
【００１５】
上記高級脂肪酸原料の具体例としては、豚油、牛脂等の動植物油、オリーブ油、パーム油、大豆油、菜種油、亜麻仁油、ヤシ油等の植物油、及び魚油から得られる天然油脂由来の脂肪酸等を挙げることができる。具体的には、オクタン酸、デカン酸、ラウリン酸、ヘキサデカン酸、ステアリン酸、オレイン酸、ベヘン酸等があげられ、これらは混合原料としてもよい。また合成脂肪酸でもよい。
【００１６】
またＲ2は、炭素数が１〜６の範囲にある一価アルコールからなるエステルが好ましい。このようなアルコールとしては、例えば、メタノール、エタノール、プロパノール、イソプロパノール、ブタノール、イソブタノール、ヘキサノール等が挙げられる。
【００１７】
上記の混合する（Ｂ−１）のアルコールは、アルコールであれば本発明において特に限定するものではないが、好ましくは炭素数が８〜２２の範囲、より好ましくは、８〜１８の範囲の一価アルコールである。例えば、２−エチルヘキサノール、オクタノール、ラウリルアルコール、ミリスチルアルコール、パルミチルアルコール、ステアリルアルコール、イソステアリルアルコール、ヒドロキシステアリルアルコール、オレイルアルコール、ベヘニルアルコール、ヘプタノール、ノナノール、ウンデカノール、トリデカノール、ペンタデカノール、ヘプタデカノール、ノナデカノール、ヘンエイコサノール等の天然アルコール、合成アルコール、分岐アルコール等が挙げられる。
【００１８】
上記の混合する（Ｂ−２）の脂肪酸は、脂肪酸であれば本発明において特に制限するものではないが、好ましくは炭素数が８〜２２の範囲、より好ましいくは８〜１８の範囲の高級脂肪酸であり、（Ａ）の原料となる脂肪酸と同じであることが好ましい。
【００１９】
このような（Ａ）と（Ｂ−１）ないし（Ｂ−２）の少なくとも１つの混合物に、アルカリ触媒で、炭素数２〜４のアルキレンオキサイドを付加させる訳であるが、（Ａ）／（Ｂ−１）ないし、（Ａ）／（Ｂ−２）、ないし（Ａ）／（（Ｂ−１）＋（Ｂ−２））、すなわち、（Ａ）／（Ｂ）のモル比は１／９〜９／１の範囲、特に、２／９〜９／２の範囲であることが好ましい。１／９未満であると脱墨性能に劣り、９／１を越えると反応がスムースに進行しなくなる。
アルカリ触媒の量は、（Ａ）、（Ｂ−１）、及び（Ｂ−２）の合計質量に対し、０．０１〜１０質量％の範囲で使用することが好ましい。
【００２０】
上記の炭素数が２〜４のアルキレンオキサイドとしては、エチレンオキサイド（ＥＯ）、プロピレンオキサイド（ＰＯ）、及びブチレンオキサイド（ＢＯ）があるが、好ましくは、ＥＯ単独、ないしＥＯ、ＰＯの混合アルキレンオキサイドである。ＥＯ、ＰＯ混合系の場合、ＰＯの割合は、ＥＯ、ＰＯ合計に対して、５０質量％以下が好ましい。ＥＯ、ＰＯ混合系の場合、ブロック付加、ランダム付加のいずれでもよい。
このようなアルキレンオキサイド付加での付加モル数は、（Ａ）、（Ｂ−１）、及び（Ｂ−２）の合計の１モル当り５〜１００モルが好ましく、さらに好ましくは７〜７０モルである。
【００２１】
次に、反応工程を簡単に説明とすると、上記の（Ａ）と（Ｂ−１）ないし（Ｂ−２）の少なくとも１つの混合物にあらかじめアルカリ触媒を所定量添加し、窒素置換等により空気を追い出し、８０〜２００℃の温度で、アルキレンオキサイドを所定量添加して、アルキレンオキサイドの付加反応を進行させることが好ましい。反応は、スムースに進行し、通常数時間で終了するので、温度を１００℃以下までに下げた後、必要な場合は、酢酸、硫酸等の酸でアルカリを中和して、本発明の反応生成物を得ることができる。なお、脱墨操作は通常アルカリ性で行うので、上記の中和工程は省いてもかまわない。
【００２２】
上記の（Ａ）の高級脂肪酸モノアルキルエステルに、単にアルカリ触媒を添加してアルキレンオキサイドを上記の方法に準拠して付加させても反応は進行しないのに対し、（Ｂ−１）ないし（Ｂ−２）を共存させると反応がスムースに進行する。この場合、（Ｂ−１）ないし（Ｂ−２）のみに反応が行われているのでないことは、反応終了後、減圧下で（Ａ）を蒸留回収するべく、減圧高温下で蒸留しても、ほとんど（Ａ）は回収されないことからも明らかである。
【００２３】
現在のところ、反応経路は推測としてではあるが、まず、（Ｂ−１）、又は（Ｂ−２）とアルキレンオキサイドが反応し、この（Ｂ−１）又は（Ｂ−２）のアルキレンオキサイド付加体が触媒となって、（Ａ）のエステル結合の中に、アルキレンオキサイドが挿入付加して反応が進むものと思われる。
従って、反応生成物は、（Ａ）のエステル結合へのアルキレンオキサイドの挿入付加体、（Ｂ−１）ないし（Ｂ−２）のアルキレンオキサイド付加体、及び、これらのエステル交換体等の複雑な混合物となっているものと思われる。そして、これらの混合物が、全体として所望の脱墨効果を発揮しているものと思われる。
【００２４】
本発明の脱墨剤は公知の脱墨剤、例えば、高級アルコール硫酸塩、アルキルベンゼンスルホン酸塩、高級アルコールやアルキルフェノールのエチレンオキサイド付加物等と併用して使用することもできる。また、本発明の目的を達成する範囲において、必要に応じてアニオン界面活性剤、カチオン界面活性剤、両性界面活性剤、非イオン界面活性剤、酵素、高分子凝集薬剤等を使用することもできる。
本発明の脱墨剤は古紙離解工程、熟成工程、もしくは両工程に分割添加して使用するのが好ましく、その添加量は原料古紙に対し０．１〜３．０質量％が好ましい。また本発明の脱墨剤とともに離解工程に必要に応じて、水酸化ナトリウム、珪酸ナトリウム、炭酸ナトリウム等のアルカリ剤、過酸化水素などの漂白剤を併用することもできる。
【実施例１】
【００２５】
以下実施例により本発明を更に詳細に説明するが、本発明は以下の実施例に限定されるものではない。
以下の製造条件で反応生成物（脱墨剤）を得た。尚、実施例サンプルとなる原料組成等を表１に、比較例サンプルとなる原料組成等を表２に示す。
【００２６】
＜製造例＞
オレイン酸メチルエステル１５０ｇ（０．５モル）とオレイン酸１４０ｇ（０．５モル）と、反応触媒として水酸化カリウム３．５ｇとをオートクレーブに仕込み、オートクレーブ内を窒素置換した。その後、温度１４０℃、圧力５ＭＰａ以下でエチレンオキサイド５３０ｇ（１２モル）を付加し、実施例１のサンプル１を得た。
【００２７】
ステアリン酸メチルエステル２１０ｇ（０．７モル）とステアリルアルコール８０ｇ（０．３モル）をオートクレーブに仕込み、７０℃で溶解して撹拌混合した後、反応触媒として水酸化ナトリウム４．５ｇを加えて窒素置換した。その後、温度１３０℃、圧力５ＭＰａ以下でエチレンオキサイド５３０ｇ（１２モル）とプロピレンオキサイド１１６ｇ（２モル）の混合液を導入し、ＥＯ、ＰＯをランダム付加反応させて実施例２のサンプル２を得た。
【００２８】
実施例３、及び４のサンプル３、及び４も同様に、表１に記した各原料を用いて反応を行うことにより得た。また、比較例２のサンプル２は、実施例１のサンプル１のオレイン酸メチルエステルを除いた場合に対応しており、同様に、表２に記した各原料を用いて反応を行うことにより得た。また、比較例３のサンプル３は、実施例２のサンプル２に対応して、同様に得た。
【００２９】
比較例１として、オレイン酸メチルエステル３００ｇ（１．０モル）と、反応触媒として水酸化カリウム３．５ｇとをオートクレーブに仕込み窒素置換した。その後、温度１４０℃で圧力５ＭＰａに達するまでエチレンオキサイドを導入した。この時のエチレンオキサイドの導入量は１２０ｇであった。その後、温度１４０℃、圧力５ＭＰａのまま２時間保持したが、圧力の低下がみられなかったため反応を中止した。
【００３０】
【表１】
2005179835.tif 000002
【００３１】
表１中、ＥＯはエチレンオキサイド基を、ＰＯはプロピレンオキサイド基を表す。
＊１）（高級脂肪酸モノアルキルエステル／アルコール又は脂肪酸）のモル比
＊２）脂肪酸モノアルキルエステルと、アルコール又は脂肪酸との混合物の合計モル数を1モルとした場合のアルキレンオキサイドの付加モル数
【００３２】
【表２】
2005179835.tif 000003
【００３３】
上記の実施例サンプル及び比較例サンプルを使用して、以下に示す脱墨性能を評価した。その結果を表３に示した。
＜脱墨性能＞
原料の印刷古紙（オフセット印刷古紙／チラシ＝７／３）を３×３ｃｍに切断後、パルプ離解機に入れ、原料古紙質量に対し、苛性ソーダ１．５質量％、３号珪酸ソーダ３．０質量％、過酸化水素（有効成分）１．５質量％、及び表１または表２の脱墨剤を、原料古紙に対し０．３質量％添加した。続いてパルプ濃度１５質量％となるように温水を加え、５０℃で１５分間離解処理を行った。その後脱水し、得られたパルプスラリーに水を加えてパルプ濃度２０質量％に希釈した後、５０℃で１８０分ソーキングした。その後温水を加えてパルプ濃度質量１％に希釈し、４０℃で５分間フローテーション処理を行った。このパルプスラリーを水で０．３質量％に希釈し８０メッシュのふるいで自重脱水した。抄紙はタッピマシーン（株式会社東洋精機製作所製）により行った。得られたシートの白色度を側色色差計（日本電色工業株式会社製）で測定し、残インキ面積率を画像解析装置（株式会社ニレコ製）で測定した。結果を表３に示した。
【００３４】
また、フローテーション時の操作性（泡量）は、次の官能評価により評価した。
Ａ：操業性良好
Ｂ：泡やや多いが操作性問題なし
Ｃ：泡やや少ないが操作性問題なし
Ｄ：泡が多すぎて操作困難
Ｅ：泡が少なすぎて操作困難
【００３５】
【表３】
2005179835.tif 000004
【００３６】
上記に示す如く、各実施例１〜４は、白色度、残インキ面積率も優れ、良好な脱墨性を示している。また、操作性（泡量）も良好であった。なお、フローテーション時の泡量は、少なすぎると脱墨したインキ凝集物を泡と共に系外に除去することが困難となり、また、多すぎると、系内が泡立ちすぎてあふれてしまう等の不都合が生じるので、泡量は少なすぎず、また、多過ぎないことが重要であるが、各実施例は、このような意味で、良好な泡量を示し適度な操作性を示した。
【００３７】
また、比較サンプル２は実施例サンプル１より高級脂肪酸エステルを除いた反応生成物であるが、表３に示す如く、比較例２は実施例１に比べて劣った評価結果であった。比較例サンプル３は実施例サンプル２に対応した同様の反応生成物であるが、やはり比較例３は実施例２に比べて劣った結果となった。
なお、比較例１に示す如く、高級脂肪酸エステルのみではアルキレンオキサイドは付加しなかった。
【産業上の利用可能性】
【００３８】
本発明の脱墨剤は、新聞、雑誌等の印刷古紙に使用して脱墨処理を行うと、インク捕集工程の際に適度な泡量を保ち、操業性に優れ、且つ、高白色度、低残インキの高品質再生パルプを提供することができる。さらに、かかる脱墨剤を得るに際し、煩雑な反応工程を必要としない１段反応で得られ、コストも従来に比べて安価となり、産業上の利用可能性の高いものである。